(57)【要約】【課題】  、吐水強さのばらつきや吐水方向の乱れを防止し、散水孔から吐水されるシャワー水の整流性を向上させるシャワーヘッドを提供する。【解決手段】  湯水が通過する通水路１３が形成された本体１２と、この本体１２の底部に装着される散水板１６とを備え、散水板１６には前記通水路１３と連通する多数の散水孔２０が穿設され、各散水孔２０からシャワー水が吐水されるシャワーヘッド１１において、本体１２の内部で、散水孔２０の上流側に柔軟な素材からなる緩衝材２１を収容した。【選択図】  図２
2006207307.tif 000002
【特許請求の範囲】
【請求項１】
湯水が通過する通水路が形成された本体と、この本体の底部に装着される散水板とを備え、散水板には前記通水路と連通する多数の散水孔が穿設され、各散水孔からシャワー水が吐水されるシャワーヘッドにおいて、本体の内部で、散水孔の上流側に柔軟な素材からなる緩衝材を収容したことを特徴とするシャワーヘッド。
【請求項２】
前記緩衝材はスポンジにより形成されたことを特徴とする請求項１記載のシャワーヘッド。
【発明の詳細な説明】
【技術分野】
【０００１】
この発明は、シャワー水が吐水されるシャワーヘッドに関するものである。
【背景技術】
【０００２】
流し台や洗面化粧台等の衛生設備において、例えば流し台のワークトップでは調理等が行なわれ、シンクでは食器等の洗浄作業が行なわれるが、シンクで食器等の洗浄作業を行なう場合に、シンクの後方のカウンターに取り付けられた水栓のシャワーヘッドから、シンクに向けてシャワー水が吐水される。このように、流し台で使用されるシャワーヘッドとして公知のものに特許文献１のものがある。このシャワーヘッドは、内部に通水路が形成された中空構造の本体ハウジングと、本体ハウジングの底部に装着されたヘッドカバーとを備え、ヘッドカバーには通水路と連通したシャワー放水口が多数穿設され、このシャワー放水口からシャワー水がシンクに向けて吐水される。
【特許文献１】特公平４−５７９１５号公報
【発明の開示】
【発明が解決しようとする課題】
【０００３】
しかしながら特許文献１のシャワーヘッドでは、通水路を通過する湯水は流速が低下することなくシャワー放水口へ達し、吐水されるシャワー水に吐水強さのばらつきや吐水方向に乱れが生じてしまう。この対応策として、ヘッドカバーのシャワー放水口の孔径を小さくして吐水されるシャワー水の整流性を良くすることにより、発生する騒音を低く抑える方法が考えられるが、孔径を小さくするとシャワー放水口に異物が詰まり易く、かえってシャワー水の吐水状態が悪くなったり、ヘッドカバーを清掃する頻度が増えたりするという問題が発生するため、現実的ではなかった。
【０００４】
この発明は、このような従来の技術に存在する問題点に着目してなされたものであり、その目的は、吐水強さのばらつきや吐水方向の乱れを防止し、ヘッドカバーのシャワー放水口から吐水されるシャワー水の整流性を向上させるシャワーヘッドを提供するものである。
【課題を解決するための手段】
【０００５】
上記目的を達成するため、請求項１に記載の発明では、湯水が通過する通水路が形成された本体と、この本体の底部に装着される散水板とを備え、散水板には前記通水路と連通する多数の散水孔が穿設され、各散水孔からシャワー水が吐水されるシャワーヘッドにおいて、本体の内部で、散水孔の上流側に柔軟な素材からなる緩衝材を収容したものである。
【０００６】
請求項２に記載の発明では請求項１のシャワーヘッドにおいて、前記緩衝材はスポンジにより形成されたものである。
【発明の効果】
【０００７】
本発明の請求項１では、湯水は柔軟な素材からなる緩衝材を通過することにより弱められ、散水孔から吐水されるシャワー水を線状に近い整流状態で吐水させることができる。しかも、吐水されたシャワー水がシンクの表面に衝突しても、その水流は連続して衝突する状態となるため、シャワー水のシンクへの衝突時に発生する騒音を低く抑えることができる。
【０００８】
請求項２に記載の発明では、請求項１記載のシャワーヘッドにおいて、前記緩衝材はスポンジにより形成されているので、安価な部材であるスポンジを使用することにより、製造コストを殆ど上昇させることなく、散水孔から吐水されるシャワー水を線状に近い整流状態で吐水させることができる。
【発明を実施するための最良の形態】
【０００９】
以下、本発明の実施例を図に基づいて詳細に説明する。
【実施例１】
【００１０】
図１は本発明のシャワーヘッドを備えた水栓を流し台に取り付けた状態である。
流し台１はキャビネット２の上部にカウンター３が固定されたもので、このカウンター３には例えば食器の洗浄作業等を行なうためのシンク４が設けられている。シンク４は上面が開口した箱型で、底面の略中央には排水管５ａと上下方向に連通する排水口５が設けられ、カウンター３の上面でシンク４の後方には、本発明のシャワーヘッド１１を備えた水栓６が取り付けられている。水栓６はカウンター３に対し垂直方向に固定される略円筒状の水栓本体７と、この水栓本体７の外周面に回転自在に装着されるホルダー８と、水栓本体７及びホルダー８の上部に装着され湯水の流量と温度とを調節するためのレバー９とを備え、ホルダー８の先端にはシャワーヘッド１１が前方に向けて引出し自在に支持されている。
【００１１】
また、水栓本体７の内部には温度調節機構１０が収容されており、この温度調節機構１０と連繋したレバー９の上下方向への操作で、シャワーヘッド１１から吐水される湯水の吐水，止水及び流量が調節され、左右方向への操作で湯水の温度が調節され、流量及び温度が調節された湯水は、シャワーヘッド１１からシンク４に向けて吐水されるものである。
【００１２】
図２及び図３に示すように、前記シャワーヘッド１１は合成樹脂材からなり、中空構造である本体１２の内部に通水路１３が形成され、この通水路１３を湯水が通過するもので、本体１２の前部にボタン１５が装着されるとともに、本体１２の内部に緩衝材２１が収容されている。また、本体１２の底部に形成された湯水が吐水される開口部１４には散水板１６が装着されている。
【００１３】
前記散水板１６は円板型に形成されており、中央に貫通孔１７が穿設され、この貫通孔１７に直流吐水部１８が上下に貫通して設けられており、貫通孔１７の外周にはシャワー吐水部１９が形成されている。このシャワー吐水部１９は、同心円状に等間隔で中央から外周に向けて略環状に穿設された多数の散水孔２０から形成されている。
【００１４】
前記緩衝材２１はスポンジ等の柔軟な素材からなる弾性と通水性とを有する多孔質の円盤形状で、本体１２内部で、散水板１６の上流側に収容されている。なお、スポンジは例えばポリエチレン、ポリプロピレン、ＥＶＡ、エステル製ウレタン、エーテル型ウレタン、セルロース等の連続発泡体、海面、発泡ゴム、捲縮繊維綿であり、これらは市販されており、安価に入手できるものである。
【００１５】
次に、このシャワーヘッド１１から吐水される湯水の状態について説明する。
まず、水栓６に供給された水，湯は、水栓本体７に収容された温度調節機構１０で所望温度に混合され、シャワーヘッド１１に供給される。そして、シャワーヘッド１１は前記ボタン１５を操作することで、シンク４に向けて吐水される湯水の流路は、直流吐水部１８とシャワー吐水部１９との何れか一方に切り替わり、直流吐水部１８からは、例えばシンク４で容器に湯水を吐水するのに最適な直流状の湯水が吐水され、シャワー吐水部１９からは、食器等の洗浄を行なうのに最適なシャワー水が吐水されるものである。
【００１６】
シャワーヘッド１１の本体１２内部に収容された緩衝材２１によって、本体１２に供給された湯水は、その水勢が十分に弱められて散水板１６の散水孔２０を通過し、シャワー吐水部１９から吐水されるシャワー水は、水滴が連続した線状の水流として吐水される。このシャワー水は、シャワーヘッド１１から離れていくにつれて水滴同士の間に徐々に間隔が生じることとなるが、図２に示すように、シンク４の表面に衝突する際の水滴同士の間隔は極僅かであるため、シャワー水は線状に近い状態でシンク４の表面に衝突する。このとき、シンク４の表面では線状に近い状態でシャワー水が連続して衝突する状態となり、これによりシャワー水がシンク４に衝突した際に発生する騒音を低く抑えることができる。なお、本実施例の水栓本体はシングルレバー式としたが、これに限定されることはなく、２ハンドル式，ミキシング式，サーモスタット式であってもよい。
【００１７】
このように本実施例のシャワーヘッドは本体の内部で、散水板の上流側に柔軟な素材からなる緩衝材を収容し、この緩衝材によって本体に供給された湯水は、その水勢が十分に弱められて散水板の散水孔を通過するため、シャワー吐水部から吐水されるシャワー水は線状に近い整流状態で吐水させることができる。しかも、吐水されたシャワー水がシンクの表面に衝突しても、その水流は連続して衝突する状態となるため、シャワー水のシンクへの衝突時に発生する騒音を低く抑えることができる。
【００１８】
また、緩衝材はスポンジという安価な部材を使用することにより、製造コストを殆ど上昇させることなく、シャワーヘッドから吐水されるシャワー水を線状に近い整流状態で吐水させることができる。
【図面の簡単な説明】
【００１９】
【図１】本発明のシャワーヘッドを備えた水栓が流し台のカウンターに取り付けられた状態を示す説明図である。
【図２】シャワー水の吐水状態を示す説明図である。
【図３】シャワーヘッドの拡大断面図である。
【符号の説明】
【００２０】
１    ：流し台
４    ：シンク
１１  ：シャワーヘッド
１２  ：本体
１３  ：通水路
１６  ：散水板
１９  ：散水孔
２１  ：緩衝材
【図１】
2006207307.tif 000003
【図２】
2006207307.tif 000004
【図３】
2006207307.tif 000005